(57)【要約】【課題】反射された投射光の輝度や視野角を容易に変更可能な反射スクリーン及び反射スクリーンの製造方法を提供すること。【解決手段】基板２面内の左右方向に沿って形成されると共に上下方向に沿って複数配列された凸部３と、凸部３の表面の一部を被覆すると共に凸部３の表面のうち投射光が入射する領域の少なくとも一部に形成された複数の鏡面反射膜４及び拡散反射膜５とを有し、複数の鏡面反射膜４及び拡散反射膜５とが、左右方向に沿って交互に配置されている。【選択図】図１
2008298930.tif 000002
【特許請求の範囲】
【請求項１】
基板上に形成された複数の凸部を有し、投射光を反射する反射スクリーンであって、
前記基板面内の一方向に沿って形成されると共に該一方向と異なる他方向に沿って複数配列された凸部と、
該凸部の表面の一部を被覆すると共に該凸部の表面のうち前記投射光が入射する領域の少なくとも一部に複数の鏡面反射面及び拡散反射面を形成する被覆膜とを備え、
前記複数の鏡面反射面と前記複数の拡散反射面とが、前記一方向に沿って交互に配置されていることを特徴とする反射スクリーン。
【請求項２】
前記複数の鏡面反射面と前記複数の拡散反射面とが、前記他方向に沿って交互に配置されていることを特徴とする請求項１に記載の反射スクリーン。
【請求項３】
前記一方向と前記他方向とが、互いに直交していることを特徴とする請求項１または２に記載の反射スクリーン。
【請求項４】
前記凸部が、光吸収性を有し、
前記被覆膜が、光反射性を有すると共に前記凸部の表面のうち前記投射光が入射する領域を被覆して前記鏡面反射面を形成する鏡面反射膜と、光拡散性を有すると共に前記凸部の表面のうち前記投射光が入射する領域を被覆して前記拡散反射面を形成する拡散反射膜とを備えることを特徴とする請求項１から３のいずれか１項に記載の反射スクリーン。
【請求項５】
前記凸部が、光拡散性を有し、
前記被覆膜が、光吸収性を有すると共に前記凸部の表面のうち前記鏡面反射面及び拡散反射面を除く他の領域を被覆する吸収被覆膜と、光反射性を有すると共に前記凸部の表面のうち前記投射光が入射する領域を被覆して前記鏡面反射面を形成する鏡面反射膜とを備えることを特徴とする請求項１から３のいずれか１項に記載の反射スクリーン。
【請求項６】
基板が、光吸収性を有する材料で構成されていることを特徴とする請求項１から５のいずれか１項に記載の反射クリーン。
【請求項７】
投射光を反射する反射スクリーンの製造方法であって、
基板上に凸部形成材料を液滴吐出法により滴下して、前記基板面内の一方向に沿う凸部を前記一方向と異なる他方向に沿って複数配列する凸部形成工程と、
前記凸部の一部の表面に、被覆膜形成材料を液滴吐出法により塗布して前記凸部の一部を被覆する被覆膜を形成し、前記凸部の表面のうち前記投射光が入射する領域の少なくとも一部に複数の鏡面反射面及び拡散反射面を形成する被覆膜形成工程とを備えることを特徴とする反射スクリーンの製造方法。
【請求項８】
前記凸部形成工程の前に、前記基板表面に撥液化処理を施す撥液化工程を有することを特徴とする請求項７に記載の反射スクリーンの製造方法。
【請求項９】
前記凸部形成工程で、紫外線硬化樹脂を滴下する工程を有することを特徴とする請求項７または８に記載の反射スクリーンの製造方法。
【請求項１０】
前記被覆膜形成工程で、紫外線硬化樹脂を塗布する工程を有することを特徴とする請求項７から９のいずれか１項に記載の反射スクリーンの製造方法。
【発明の詳細な説明】
【技術分野】
【０００１】
本発明は、反射スクリーン及び反射スクリーンの製造方法に関するものである。
【背景技術】
【０００２】
プロジェクタなどの投射型表示装置からの投射光を表示する反射スクリーンが知られている。このような反射スクリーンとして、スクリーンの横方向に延在するレンチキュラーレンズと上下方向に延在するリニアフレネルレンズとを組み合わせたものや、スクリーンの表面に半球形状の凸部を複数配列してこの凸部のうち投射光の入射方向に向かう一部の表面に投射光を反射させる反射面が形成されたものが提案されている（例えば、特許文献１参照）。
【特許文献１】特開２００２−３１１５０７号公報
【特許文献２】特開２００６−２１５１６２号公報
【発明の開示】
【発明が解決しようとする課題】
【０００３】
しかしながら、上記従来の反射スクリーンにおいても、以下の課題が残されている。すなわち、前者の反射スクリーンでは、異なる複数のレンズを組み合わせているため、反射された投射光の輝度や上下方向及び左右方向の視野角を変更することが困難である。また、後者の反射スクリーンでは、凸部が半球形状であるため、輝度や視野角を変更する際の自由度が小さいという問題がある。
【０００４】
本発明は、上記従来の問題に鑑みてなされたもので、反射された投射光の輝度や視野角を容易に変更可能な反射スクリーン及び反射スクリーンの製造方法を提供することを目的とする。
【課題を解決するための手段】
【０００５】
本発明は、前記課題を解決するために以下の構成を採用した。すなわち、本発明にかかる反射スクリーンは、基板上に形成された複数の凸部を有し、投射光を反射する反射スクリーンであって、前記基板面内の一方向に沿って形成されると共に該一方向と異なる他方向に沿って複数配列された凸部と、該凸部の表面の一部を被覆すると共に該凸部の表面のうち前記投射光が入射する領域の少なくとも一部に複数の鏡面反射面及び拡散反射面を形成する被覆膜とを備え、前記複数の鏡面反射面と前記複数の拡散反射面とが、前記一方向に沿って交互に配置されていることを特徴とする。
【０００６】
この発明では、鏡面反射面及び拡散反射面の面積を変更することで、容易に輝度や視野角を調整できる。すなわち、鏡面反射面の面積や形成位置を変更することで、反射された投射光の主に一方向と直交する方向における輝度や視野角を設定できる。また、拡散反射面の面積や形成位置を変更することで、反射された投射光の一方向における輝度や視野角を設定できる。そして、凸部を一方向に延在させることで、凸部をほぼ半球形状にした場合と比較して、鏡面反射面及び拡散反射面の面積を広くすることができ、反射される投射光の強度を増大させることができる。
【０００７】
また、本発明にかかる反射スクリーンは、前記複数の鏡面反射面と前記複数の拡散反射面とが、前記他方向に沿って交互に配置されていることが好ましい。
この発明では、他方向において鏡面反射面または拡散反射面が配列されることを防止することで、主に一方向と直交する方向に投射光が反射される領域と主に他方向と直交する方向に投射光が反射される領域とが他方向に沿って筋状に輝度ムラが発生することを回避し、反射された投射光の表示画質が向上する。
【０００８】
また、本発明にかかる反射スクリーンは、前記一方向と前記他方向とが、互いに直交していることが好ましい。
この発明では、鏡面反射面及び拡散反射面の面積により一方向及び他方向における反射された投射光の輝度や視野角を調整できる。
【０００９】
また、本発明にかかる反射スクリーンは、前記凸部が、光吸収性を有し、前記被覆膜が、光反射性を有すると共に前記凸部の表面のうち前記投射光が入射する領域を被覆して前記鏡面反射面を形成する鏡面反射膜と、光拡散性を有すると共に前記凸部の表面のうち前記投射光が入射する領域を被覆して前記拡散反射面を形成する拡散反射膜とを備えることとしてもよい。
この発明では、凸部のうち被覆膜が形成された領域が投射光を反射して反射スクリーンの正面にいる鑑賞者に視認させる。一方、凸部のうち被覆膜が形成されていない領域に入射した光は、吸収されて鑑賞者に視認されない。そして、凸部形成材料が光吸収性を有するため、凸部形成工程の後で凸部の表面に光吸収性を有する膜を形成する必要がなく、製造工程の簡略化が図れる。
【００１０】
また、本発明にかかる反射スクリーンは、前記凸部が、光拡散性を有し、前記被覆膜が、光吸収性を有すると共に前記凸部の表面のうち前記鏡面反射面及び拡散反射面を除く他の領域を被覆する吸収被覆膜と、光反射性を有すると共に前記凸部の表面のうち前記投射光が入射する領域を被覆して前記鏡面反射面を形成する鏡面反射膜とを備えることとしてもよい。
この発明では、凸部のうち被覆膜で覆われていない領域が投射光を反射して反射スクリーンの正面にいる鑑賞者に視認させる。一方、凸部のうち被覆膜が形成された領域に入射した光は、吸収されて鑑賞者に視認されない。そして、凸部形成材料が光反射性を有するため、凸部形成工程の後で凸部の表面に光反射性を有する膜を形成する必要がなく、製造工程の簡略化が図れる。
【００１１】
また、本発明にかかる反射スクリーンは、基板が、光吸収性を有する材料で構成されていることが好ましい。
この発明では、基板表面に光吸収性の材料からなる膜を別途形成することと比較して、製造工程を簡略化できる。
【００１２】
また、本発明にかかる反射スクリーンの製造方法は、投射光を反射する反射スクリーンの製造方法であって、基板上に凸部形成材料を液滴吐出法により滴下して、前記基板面内の一方向に沿う凸部を前記一方向と異なる他方向に沿って複数配列する凸部形成工程と、前記凸部の一部の表面に、被覆膜形成材料を液滴吐出法により塗布して前記凸部の一部を被覆する被覆膜を形成し、前記凸部の表面のうち前記投射光が入射する領域の少なくとも一部に複数の鏡面反射面及び拡散反射面を形成する被覆膜形成工程とを備えることを特徴とする。
【００１３】
この発明では、上述と同様に、鏡面反射面及び拡散反射面の面積を変更することで、容易に輝度や視野角を調整できる。また、凸部形成材料の滴下パターンを変更することで、凸部の形状や配置パターンが変更可能となる。このため、凸部の形成時に金型を用いる必要がないので、製造コストの削減が図れると共に設計変更が容易となる。そして、凸部形成材料や被覆膜形成材料の滴下量や滴下パターンなどを調整することで、凸部や被覆膜の微細形状を精度よく形成できる。
【００１４】
また、本発明にかかる反射スクリーンの製造方法は、前記凸部形成工程の前に、前記基板表面に撥液化処理を施す撥液化工程を有することが好ましい。
この発明では、基板表面に撥液性を付与することで、滴下した凸部形成材料が基板表面においてヌレ拡がることを防止できる。これにより、凸部を精度よく形成できる。
【００１５】
また、本発明にかかる反射スクリーンの製造方法は、前記凸部形成工程で、紫外線硬化樹脂を滴下する工程を有することが好ましい。
この発明では、溶媒を用いずに液状体となる紫外線硬化樹脂を滴下して凸部を形成することで、滴下した凸部形成材料を硬化して凸部とする際の体積収縮を抑制できる。これにより、凸部をより精度よく形成できる。
【００１６】
また、本発明にかかる反射スクリーンの製造方法は、前記被覆膜形成工程で、紫外線硬化樹脂を塗布する工程を有することが好ましい。
この発明では、溶媒を用いずに液状体となる紫外線硬化樹脂を滴下して被覆膜を形成することで、滴下した被覆膜形成材料を硬化して被覆膜とする際の体積収縮を抑制できる。これにより、被覆膜をより精度よく形成できる。
【発明を実施するための最良の形態】
【００１７】
以下、本発明における反射スクリーン及び反射スクリーンの製造方法の一実施形態を、図面に基づいて説明する。なお、以下の説明に用いる各図面では、各部材を認識可能な大きさとするために縮尺を適宜変更している。ここで、図１（ａ）は反射スクリーンを示す正面図、図１（ｂ）は図１（ａ）のＡ−Ａ矢視断面図、図１（ｃ）、（ｄ）は図１（ａ）のＢ−Ｂ矢視断面図、図２は反射スクリーンの製造工程を示す工程図である。
【００１８】
〔反射スクリーン〕
まず、本実施形態における反射スクリーンについて説明する。この反射スクリーン１は、いわゆる斜方入射用の反射スクリーンであり、スクリーンの下方の斜め前方からスクリーンに向けて投射光を照射するフロント型のプロジェクタに用いられる。そして、反射スクリーン１は、図１に示すように、基板２と、基板２の表面に形成された複数の凸部３とを有している。
基板２は、平面視でほぼ矩形の可撓性を有する薄板であり、例えばＰＥＴ（ポリエチレンテレフタレート）などの樹脂材料で構成されている。そして、基板２は、黒色に着色されている。なお、基板２は、少なくとも表面が黒色で着色されていればよい。また、基板２の表面には、撥液化処理が施されている。
【００１９】
凸部３は、ほぼ半円柱形状を有しており、基板２の左右方向に沿って形成されている。また、凸部３は、反射スクリーン１の上下方向に沿って間隔をあけて複数配列されている。そして、凸部３は、例えばアクリル系やエポキシ系などのモノマータイプの紫外線硬化樹脂で構成されており、黒色に着色されている。また、凸部３は、その幅が例えば４０〜５０μｍ程度となっている。
そして、凸部３の表面のうちプロジェクタ（図示略）から照射される投射光の入射方向に臨む半分は、鏡面反射膜（被覆膜）４及び拡散反射膜（被覆膜）５で被覆されている。
【００２０】
鏡面反射膜４は、例えば銀などの金属微粒子が均一に配置されることで構成されている。そして、凸部３のうち鏡面反射膜４で被覆された領域が、鏡面反射面を形成する。
拡散反射膜５は、例えば凸部３と同様にアクリル系やエポキシ系などのモノマータイプの紫外線硬化樹脂で構成されており、白色に着色されている。そして、凸部３のうち拡散反射膜５で被覆された領域が、拡散反射面を形成する。
これら鏡面反射膜４及び拡散反射膜５は、それぞれ凸部３の表面の複数箇所に設けられている。そして、鏡面反射膜４及び拡散反射膜５は、凸部３の延在方向である基板２の左右方向に沿って交互に設けられている。さらに、鏡面反射膜４及び拡散反射膜５は、それぞれ凸部３の配列方向である基板２の上下方向に沿って配列されている。
【００２１】
〔反射スクリーンの製造方法〕
次に、以上のような構成の反射スクリーン１の製造方法について説明する。
まず、黒色に着色された基板２の表面に撥液化処理を施す（撥液化工程）。ここでは、基板２の表面にＣＦ４（四フッ化炭素）プラズマを照射する（図２（ａ））。これにより、基板２の表面が撥液化する。
【００２２】
続いて、基板２の表面に凸部３を複数形成する（凸部形成工程）。ここでは、凸部３を構成する黒色に着色された紫外線硬化樹脂（凸部形成材料）６を、インクジェット法（液滴吐出法）を用いて基板２の表面に滴下する（図２（ｂ））。このとき、滴下された紫外線硬化樹脂６は、基板２の表面に撥液化処理が施されているため、ヌレ拡がらずに基板２上に塗布される。そして、滴下した紫外線硬化樹脂６に対して、例えば波長が３６５ｎｍの低エネルギーの紫外線を照射し、滴下した紫外線硬化樹脂６を硬化させる。これにより、ほぼ半円柱形状の複数の凸部３が形成される。このとき、波長が３６５ｎｍの低エネルギーの紫外線を照射しているため、基板２の表面の撥液性は維持される。
【００２３】
次に、凸部３の表面の一部に鏡面反射膜４及び拡散反射膜５をそれぞれ形成する（被覆膜形成工程）。ここでは、鏡面反射膜４を構成する例えば銀などの金属微粒子を分散媒中に分散させた液状体（被覆膜形成材料）７を、インクジェット法を用いて凸部３の表面の複数箇所に間隔をあけて滴下する（図２（ｃ））。このとき、滴下された液状体７は、基板２の表面の撥液性が維持されているため、基板２の表面にヌレ拡がらずに凸部３の表面にヌレ拡がるように塗布される。なお、鏡面反射膜４を構成する液状体７の滴下量は、凸部３の表面のうち投射光の入射方向に臨む領域を覆うように適宜調整されている。そして、滴下した液状体７を、乾燥させて分散媒を除去する。これにより、凸部３の表面の一部を被覆する鏡面反射膜４が複数箇所に形成される。
【００２４】
続いて、拡散反射膜５を構成する白色に着色された紫外線硬化樹脂（被覆膜形成材料）８を、インクジェット法を用いて凸部３の表面のうち鏡面反射膜４が形成された領域の間に滴下する（図２（ｄ））。このとき、滴下された紫外線硬化樹脂８は、基板２の表面の撥液性が維持されているため、上述と同様に基板２の表面にヌレ拡がらずに凸部３の表面にヌレ拡がるように塗布される。なお、拡散反射膜５を構成する紫外線硬化樹脂８の滴下量は、凸部３の表面のうち投射光の入射方向に臨む領域を覆うように適宜調整されている。そして、滴下した紫外線硬化樹脂８に対して上述と同様に低エネルギーの紫外線を照射し、滴下した紫外線硬化樹脂８を硬化させる。これにより、凸部３の表面の一部を被覆する拡散反射膜５が複数箇所に形成される。なお、被覆膜形成工程は、拡散反射膜５を形成した後に鏡面反射膜４を形成する工程としてもよい。
以上のようにして、図１に示すような反射スクリーン１を製造する。
【００２５】
〔反射スクリーンの動作〕
例えば室内の天井に配置された照明器具などから反射スクリーン１に向かう外光は、基板２の表面や凸部３のうち鏡面反射膜４及び拡散反射膜５で被覆されていない領域のように、黒色に着色された領域に入射することによって吸収される。これにより、投射光と異なる外光が鑑賞者に視認されない。
一方、プロジェクタから射出して反射スクリーン１に向かう投射光は、図１（ｂ）〜（ｄ）に示すように、凸部３のうち鏡面反射膜４及び拡散反射膜５で被覆された領域のように入射することによって鏡面反射または拡散反射する。すなわち、鏡面反射膜４に入射した投射光は、凸部３がほぼ半円柱形状であると共に鏡面反射膜４が凸部３のうち反射スクリーン１の下半分の領域に形成されていることから、図１（ｂ）、（ｃ）に示すように、主に凸部３の延在方向に対して直交する方向である基板２の上下方向で鏡面反射される。また、拡散反射膜５に入射した投射光は、図１（ｂ）、（ｄ）に示すように、凸部３の延在方向である基板２の左右方向及び上下方向で拡散反射される。なお、図１（ｂ）〜（ｄ）の矢印は、投射光の入射方向及び反射方向を示している。これにより、投射光が反射スクリーン１で反射されて鑑賞者により視認される。
【００２６】
以上のように、本実施形態における反射スクリーン１及び反射スクリーンの製造方法によれば、鏡面反射膜４で被覆される領域の面積を変更することにより、基板２の上下方向における反射された投射光の輝度を調整できる。また、拡散反射膜５で被覆される領域の面積を変更することにより、基板２の左右方向における反射された投射光の輝度を調整できる。
ここで、凸部３が基板２の左右方向に延在するように形成されているため、鏡面反射面及び拡散反射面の面積を広くすることができ、反射される投射光の強度をより増大させることができる。
【００２７】
また、インクジェット法を用いて凸部３や鏡面反射膜４及び拡散反射膜５を形成するため、金型を用いる必要がなく、設計変更が容易に行えると共に製造コストの削減が図れる。そして、紫外線硬化樹脂６、８や液状体７の滴下量や滴下パターンなどを調整することで、凸部３や鏡面反射膜４及び拡散反射膜５の微細形状を精度よく形成できる。
さらに、基板２の表面に撥液性を付与しており、滴下した紫外線硬化樹脂や液状体がヌレ拡がらないため、凸部３や鏡面反射膜４及び拡散反射膜５を精度よく形成できる。そして、凸部３や拡散反射膜５を紫外線硬化樹脂で形成することにより、硬化時の体積収縮が抑制され、精度よく凸部３や拡散反射膜５を形成できる。さらに、基板２を黒色に着色しているため、基板２の表面に光吸収性の材料からなる膜を別途形成することと比較して、製造工程を簡略化できる。
【００２８】
なお、本発明は上記実施形態に限定されるものではなく、本発明の趣旨を逸脱しない範囲において種々の変更を加えることが可能である。
例えば、鏡面反射膜及び拡散反射膜は、凸部の延在方向に沿って交互に形成されると共に凸部の配列方向に沿って配列されているが、例えば図３及び図４に示すようなパターンなど、他のパターンとしてもよい。ここで、図３及び図４は、反射スクリーンを示す正面図である。
反射スクリーン１０は、図３に示すように、鏡面反射膜４及び拡散反射膜５が凸部３の延在方向に沿って交互に設けられていると共に凸部３の配列方向に沿って交互に設けられている。すなわち、鏡面反射膜４及び拡散反射膜５は、基板２の上下方向及び左右方向のそれぞれに沿って交互に設けられている。上述したように、鏡面反射膜４は投射光を上下方向に反射し、拡散反射膜５は投射光を上下方向及び左右方向に反射する。そのため、鏡面反射膜４及び拡散反射膜５をそれぞれ上下方向に沿って配列すると、この上下方向に沿って筋状に輝度ムラが発生することがある。そこで、鏡面反射膜４及び拡散反射膜５を上下方向に沿って交互に配列することで、上下方向に沿った筋状の輝度ムラが発生することを回避できる。
また、反射スクリーン２０は、図４に示すように、拡散反射膜５の面積が鏡面反射膜４の面積よりも広くなっている。拡散反射膜５は、上述したように、投射光を上下方向及び左右方向に拡散反射する。そのため、拡散反射膜５の面積を鏡面反射膜４の面積よりも広くすることで、反射した投射光の上下方向及び左右方向における輝度及び視野角をそろえることができる。
【００２９】
また、凸部の形状は、ほぼ半円柱形状となっているが、凸部を構成する紫外線硬化樹脂の滴下パターンに応じて適宜変更してもよい。
そして、凸部の延在方向は、基板面内の左右方向に限られない。また、複数の凸部の延在方向と配列方向とは、互いに直交していなくてもよい。
【００３０】
また、凸部や拡散反射膜は、紫外線を照射することにより硬化する紫外線硬化樹脂で構成されているが、他のエネルギー光を照射することにより硬化する材料で構成されてもよい。これによっても、塗布した凸部形成材料や被覆膜形成材料の硬化時における体積収縮を抑制できる。
そして、凸部や拡散反射膜は、紫外線硬化樹脂をインクジェット法により滴下した後これを硬化させることによって形成されているが、黒色や白色の微粒子など溶媒に溶解させた液状体や微粒子を分散媒中に分散させた液状体を塗布した後にこれを乾燥させることによって形成されてもよい。
さらに、凸部は、黒色に着色された紫外線硬化樹脂で構成されているが、光吸収性を有していれば、他の色に着色されていてもよい。
【００３１】
また、凸部が光吸収性を有すると共に被覆膜が光反射性を有する鏡面反射膜と光拡散性を有する拡散反射膜とを備えているが、凸部が光拡散性を有すると共に被覆膜が鏡面反射膜と光吸収性を有する光吸収膜とを備える構成としてもよい。この場合、凸部のうち鏡面反射膜及び光吸収膜で覆われていない領域が、光拡散面を構成する。
そして、凸部が光吸収性を有しているが、凸部を透光性材料で構成すると共に、凸部のうち鏡面反射膜及び拡散反射膜で覆われていない領域に光吸収性を有する光吸収膜を形成する構成としてもよい。
【００３２】
また、基板の表面にＣＦ４プラズマを照射することにより基板の表面を撥液化させているが、他の方法により基板の表面を撥液化させてもよい。
そして、基板は、表面に撥液化処理が施されているが、凸部を精度よく形成できれば、撥液化処理を施さなくてもよい。
また、基板は、黒色に着色された材料で構成されているが、光吸収性を有していれば他の色に着色されてもよい。そして、基板は、光吸収性を有する材料で構成しているが、その表面に対して別途光吸収性を付与すれば、他の材料で構成してもよい。
さらに、斜方入射用の反射スクリーンとしているが、プロジェクタなどの投射型表示装置からの投射光を反射して画像を表示する反射スクリーンであればよい。
【図面の簡単な説明】
【００３３】
【図１】一実施形態における反射スクリーンを示す構成図である。
【図２】反射スクリーンの製造工程を示す工程図である。
【図３】他の反射スクリーンを示す構成図である。
【図４】同じく、他の反射スクリーンを示す構成図である。
【符号の説明】
【００３４】
１，１０，２０  反射スクリーン、２  基板、３  凸部、４  鏡面反射膜（被覆膜）、５  拡散反射膜（被覆膜）、６  紫外線硬化樹脂（凸部形成材料）、７  液状体（被覆膜形成材料）、８  紫外線硬化樹脂（被覆膜形成材料）
【図１】
2008298930.tif 000003
【図２】
2008298930.tif 000004
【図３】
2008298930.tif 000005
【図４】
2008298930.tif 000006